(57)【要約】【課題】  省電力のために、内部バッテリの電力の使用中は、ディスプレイ２２の最高輝度を低く抑えるディスプレイ制御装置２０において、ユーザが所定のアプリケーションを起動させたりする手間を省略し、かつ輝度増大用操作部材２１とは別途に最高輝度変更用操作部材を追加することなく、ユーザの最高輝度変更要求を受けて、最高輝度を増大できるようにする。【解決手段】  最高輝度制限手段２５は、輝度選択手段２４における選択輝度にディスプレイ２２の最高輝度を制限する。ディスプレイ２２が第２の輝度になっているときに、ユーザが輝度増大用操作部材２１を単位時間当たりに所定回数以上操作すると、特定操作検出手段２６はそれを特定の操作として検出する。この検出に伴い、輝度選択手段２４は、選択輝度を第２の輝度から第１の輝度へ変更する。【選択図】      図３
2005121690.tif 000002
【特許請求の範囲】
【請求項１】
ユーザがディスプレイの輝度を１段、増大させる際に該ユーザにより所定の態様で１回、操作される輝度増大用操作部材を有しているディスプレイ装置のディスプレイ制御装置において、
前記輝度増大用操作部材における操作に基づき前記ディスプレイの輝度を増大させる輝度増大手段、
第１の輝度又は該第１の輝度より低い第２の輝度を選択輝度として選択する輝度選択手段、
前記輝度選択手段における選択輝度に前記ディスプレイの最高輝度を制限する最高輝度制限手段、
前記輝度増大用操作部材における前記所定態様の操作の内の特定の操作はユーザの最高輝度増大要求とみなして該特定の操作を検出する特定操作検出手段、及び
前記輝度選択手段が第２の輝度を選択しているときに前記特定の操作が検出されると、前記輝度選択手段に、選択輝度を第２の輝度から第１の輝度へ変更させる変更手段、
を有していることを特徴とするディスプレイ制御装置。
【請求項２】
前記所定態様の操作とは、ユーザが前記輝度増大用操作部材を押下する操作であり、
前記所定態様の操作の内の特定の操作とは、単位時間当たりの前記輝度増大用操作部材の押下回数が所定回数以上となる操作、又は前記輝度増大用操作部材の押下を所定時間以上、保持する操作であることを特徴とする請求項１記載のディスプレイ制御装置。
【請求項３】
ユーザがディスプレイの輝度を１段、変更する際に該ユーザにより所定の態様で１回、操作される輝度変更用操作部材を有しているディスプレイ装置のディスプレイ制御装置において、
前記輝度変更用操作部材の操作に基づき現在の段を決定する段決定手段、
第１又は第２の輝度テーブルを選択輝度テーブルとして選択するテーブル選択手段であって前記各輝度テーブルは有限個の段に対して上の段ほど輝度が増大するように、各段に対して前記ディスプレイの輝度を対応付けており第１の輝度テーブルにおける最高段に対応付けられている輝度は第２の輝度テーブルにおける最高段に対応付けられている輝度より高いテーブル選択手段、
前記テーブル選択手段における選択輝度テーブルにおいて前記段決定手段の決定した段に対応付けられる輝度に前記ディスプレイの現実の輝度がなるように前記ディスプレイの輝度を制御する輝度制御手段、
前記テーブル選択手段の選択輝度テーブルが第２の輝度テーブルであるとき、前記輝度変更用操作部材における前記所定の態様の操作の内の特定の操作はユーザの最高輝度増大要求とみなして該特定の操作を検出する特定操作検出手段、及び
前記テーブル選択手段に、選択輝度テーブルを前記特定の操作の検出に基づき第２の輝度テーブルから前記第１の輝度テーブルへ変更させる選択制御手段、
を有していることを特徴とするディスプレイ制御装置。
【請求項４】
前記輝度変更用操作部材は、ユーザがディスプレイの輝度を増大する操作専用となっていてかつユーザにより押下操作される輝度増大用操作部材を含み、
前記段決定手段は、現在の段が最高段に達するまでは、前記輝度増大用操作部材がユーザにより１回、押下されるごとに、現在の段を１段、増大させ、
前記輝度変更用操作部材の前記特定の操作は、前記輝度増大用操作部材が単位時間当たり所定回数以上、押下される操作であることを特徴とする請求項３記載のディスプレイ制御装置。
【請求項５】
前記輝度増大用操作部材の前記特定の操作は、前記ディスプレイの輝度が前記第２の輝度テーブルにおいて最高段に対応付けられた輝度にあるときに行われる操作であることを特徴とする請求項４記載のディスプレイ制御装置。
【請求項６】
前記輝度変更用操作部材は、ユーザがディスプレイの輝度を増大する操作専用となっていてかつユーザにより押下操作される輝度増大用操作部材を含み、
前記段決定手段は、現在の段が最高段に達するまでは、前記輝度増大用操作部材がユーザにより１回、押下されるごとに、現在の段を１段、増大させ、
前記輝度増大用操作部材の前記特定の操作は、前記ディスプレイの輝度が前記第２の輝度テーブルにおいて最高段に対応付けられた輝度にあるときに、ユーザが前記輝度増大用操作部材を所定回数以上、押下する操作又は所定時間以上、押下を保持する操作であることを特徴とする請求項３記載のディスプレイ制御装置。
【請求項７】
前記選択制御手段が、前記テーブル選択手段に、選択輝度テーブルを第２の輝度テーブルから第１の輝度テーブルへ変更させる時、前記段決定手段は、現在の段を、第１の輝度テーブルにおいて第２の輝度テーブルの最高輝度より高い輝度に対応付けられる段へ変更することを特徴とする請求項３記載のディスプレイ制御装置。
【請求項８】
前記輝度変更用操作部材は、ユーザがディスプレイの輝度を減少する操作専用となっていてかつユーザにより押下操作される輝度減少用操作部材を含み、
前記段決定手段は、現在の段が最低段に達するまでは、前記輝度増大用操作部材がユーザにより１回、押下されるごとに、現在の段を１段、減少させ、
前記選択制御手段は、前記テーブル選択手段が選択輝度テーブルを第２の輝度テーブルから第１の輝度テーブルへ変更した後、前記輝度減少用操作部材に対するユーザの押下操作により前記ディスプレイの輝度が前記第２の輝度テーブルの最高段の輝度以下に減少したときには、前記テーブル選択手段に、選択輝度テーブルを第１の輝度テーブルから前記第２の輝度テーブルへ戻させることを特徴とする請求項３記載のディスプレイ制御装置。
【請求項９】
前記選択制御手段は、前記ディスプレイ制御装置を装備する機器が、該機器に対して外部交流電源の電力を投入開始された時及び内部バッテリの電力を投入開始された時、テーブル選択手段に、それぞれ第１及び第２の輝度テーブルを選択テーブルとして選択させることを特徴とする請求項３記載のディスプレイ制御装置。
【請求項１０】
ユーザがディスプレイの輝度を１段、増大させる際に該ユーザにより所定の態様で１回、操作される輝度増大用操作部材を有しているディスプレイ装置のディスプレイ制御方法において、
前記輝度増大用操作部材における操作に基づき前記ディスプレイの輝度を増大させるステップ、
第１の輝度又は該第１の輝度より低い第２の輝度を選択輝度として選択するステップ、
前記選択輝度に変更があると変更後の選択輝度に基づき前記ディスプレイの最高輝度を制限するステップ、
前記輝度増大用操作部材における前記所定態様の操作の内の特定の操作はユーザの最高輝度増大要求とみなして該特定の操作を検出するステップ、及び
第２の輝度が選択輝度になっているときに前記特定の操作が検出されると、選択輝度を第２の輝度から第１の輝度へ変更するステップ、
を有していることを特徴とするディスプレイ制御方法。
【請求項１１】
前記所定態様の操作とは、ユーザが前記輝度増大用操作部材を押下する操作であり、
前記所定態様の操作の内の特定の操作とは、単位時間当たりの前記輝度増大用操作部材の押下回数が所定回数以上となる操作、又は前記輝度増大用操作部材の押下を所定時間以上、保持する操作であることを特徴とする請求項１０記載のディスプレイ制御方法。
【請求項１２】
ユーザがディスプレイの輝度を１段、変更する際に該ユーザにより所定の態様で１回、操作される輝度変更用操作部材を有しているディスプレイ装置のディスプレイ制御方法において、
前記輝度変更用操作部材の操作に基づき現在の段を決定する段決定ステップ、
第１又は第２の輝度テーブルの各輝度テーブルは有限個の段に対して上の段ほど輝度が増大するように、各段に対して前記ディスプレイの輝度を対応付けており第１の輝度テーブルにおける最高段に対応付けられている輝度は第２の輝度テーブルにおける最高段に対応付けられている輝度より高くなっており前記第１又は第２の輝度テーブルを選択輝度テーブルとして選択する選択ステップ、
選択輝度テーブル又は現在の段についての変更に伴い実施され選択輝度テーブルにおいて現在の段に対応付けられる輝度に前記ディスプレイの輝度がなる制御を実施する輝度制御ステップ、
選択輝度テーブルが第２の輝度テーブルであるとき、前記輝度変更用操作部材における前記所定の態様の操作の内の特定の操作はユーザの最高輝度増大要求とみなして該特定の操作を検出する特定操作検出ステップ、及び
選択輝度テーブルを前記特定の操作の検出に基づき第２の輝度テーブルから前記第１の輝度テーブルへ変更させる選択制御ステップ、
を有していることを特徴とするディスプレイ制御方法。
【請求項１３】
前記輝度変更用操作部材は、ユーザがディスプレイの輝度を増大する操作専用となっていてかつユーザにより押下操作される輝度増大用操作部材を含み、
前記段決定ステップでは、現在の段が最高段に達するまでは、前記輝度増大用操作部材がユーザにより１回、押下されるごとに、現在の段を１段、増大させ、
前記輝度変更用操作部材の前記特定の操作は、単位時間当たりの前記輝度増大用操作部材の押下回数が所定値以上となる操作であることを特徴とする請求項１２記載のディスプレイ制御方法。
【請求項１４】
前記輝度増大用操作部材の前記特定の操作は、前記ディスプレイの輝度が前記第２の輝度テーブルにおいて最高段に対応付けられた輝度にあるときに行われる操作に限ることを特徴とする請求項１３記載のディスプレイ制御方法。
【請求項１５】
前記輝度変更用操作部材は、ユーザがディスプレイの輝度を増大する操作専用となっていてかつユーザにより押下操作される輝度増大用操作部材を含み、
前記段決定ステップでは、現在の段が最高段に達するまでは、前記輝度増大用操作部材がユーザにより１回、押下されるごとに、現在の段を１段、増大させ、
前記輝度増大用操作部材の前記特定の操作は、現在の段が前記第２の輝度テーブルの最高段にあるときに、ユーザが前記輝度増大用操作部材を所定回数以上、押下する操作又は所定時間以上、押下を保持する操作であることを特徴とする請求項１２記載のディスプレイ制御方法。
【請求項１６】
前記輝度変更用操作部材は、ユーザがディスプレイの輝度を減少する操作専用となっていてかつユーザにより押下操作される輝度減少用操作部材を含み、
前記段決定ステップでは、現在の段が最低段に達するまでは、前記輝度増大用操作部材がユーザにより１回、押下されるごとに、現在の段を１段、減少させ、
前記選択制御ステップは、選択輝度テーブルを第２の輝度テーブルから第１の輝度テーブルへ変更した後、前記輝度減少用操作部材に対するユーザの押下操作により、前記ディスプレイの輝度が選択輝度テーブルを第２の輝度テーブルから第１の輝度テーブルへ変更する直前の輝度以下になろうとする時又はなってから、選択輝度テーブルを第１の輝度テーブルから前記第２の輝度テーブルへ戻させる処理を含むものであることを特徴とする請求項１２記載のディスプレイ制御方法。
【請求項１７】
ユーザがディスプレイの輝度を１段、増大させる際に該ユーザにより所定の態様で１回、操作される輝度増大用操作部材を有しているディスプレイ装置用のディスプレイ制御プログラムにおいて、
前記輝度増大用操作部材における操作に基づき前記ディスプレイの輝度を増大させる輝度増大手段、
第１の輝度又は該第１の輝度より低い第２の輝度を選択輝度として選択する輝度選択手段、
前記輝度選択手段における選択輝度に前記ディスプレイの最高輝度を制限する最高輝度制限手段、
前記輝度増大用操作部材における前記所定態様の操作の内の特定の操作はユーザの最高輝度増大要求とみなして該特定の操作を検出する特定操作検出手段、及び
前記輝度選択手段が第２の輝度を選択しているときに前記特定の操作が検出されると、前記輝度選択手段に、選択輝度を第２の輝度から第１の輝度へ変更させる変更手段、
としてコンピュータを機能させるためのディスプレイ制御プログラム。
【請求項１８】
ユーザがディスプレイの輝度を１段、変更する際に該ユーザにより所定の態様で１回、操作される輝度変更用操作部材を有しているディスプレイ装置用のディスプレイ制御プログラムにおいて、
前記輝度変更用操作部材の操作に基づき現在の段を決定する段決定手段、
第１又は第２の輝度テーブルを選択輝度テーブルとして選択するテーブル選択手段であって前記各輝度テーブルは有限個の段に対して上の段ほど輝度が増大するように、各段に対して前記ディスプレイの輝度を対応付けており第１の輝度テーブルにおける最高段に対応付けられている輝度は第２の輝度テーブルにおける最高段に対応付けられている輝度より高いテーブル選択手段、
前記テーブル選択手段における選択輝度テーブルにおいて前記段決定手段の決定した段に対応付けられる輝度に前記ディスプレイの現実の輝度がなるように前記ディスプレイの輝度を制御する輝度制御手段、
前記テーブル選択手段の選択輝度テーブルが第２の輝度テーブルであるとき、前記輝度変更用操作部材における前記所定の態様の操作の内の特定の操作はユーザの最高輝度増大要求とみなして該特定の操作を検出する特定操作検出手段、及び
前記テーブル選択手段に、選択輝度テーブルを前記特定の操作の検出に基づき第２の輝度テーブルから前記第１の輝度テーブルへ変更させる選択制御手段、
としてコンピュータを機能させるためのディスプレイ制御プログラム。
【請求項１９】
請求項１８又は１９記載のディスプレイ制御プログラムを記録したコンピュータ読み取り可能な記録媒体。
【発明の詳細な説明】
【技術分野】
【０００１】
本発明は、例えば携帯型ＰＣ（パーソナル・コンピュータ）に装備されるディスプレイ装置の制御装置、制御方法、制御プログラム及び記録媒体に係り、詳しくはディスプレイの最高輝度を適切に制御するディスプレイ制御装置、ディスプレイ制御方法、ディスプレイ制御プログラム及び記録媒体に関するものである。
【背景技術】
【０００２】
ノート型ＰＣは、外部交流電源及び内蔵の充電式バッテリのいずれからの供給電力によっても使用可能になっている。ノート型ＰＣが装備するＬＣＤ（Liquid Crystal Display）は消費電力が大きいので、典型的なノート型ＰＣは、外部交流電源の電力の使用時では、ＬＣＤ（厳密にはＬＣＤのバック・パネル部）を、高い輝度で作動させるのに対し、バッテリ電力の使用時では、ＬＣＤを、適当に落とした輝度で作動させ、その分、バッテリの使用時間の増大を図っている。
【０００３】
従来のノート型ＰＣでは、省電力達成のために、バッテリ電力の使用時には、ＬＣＤの輝度はそれが落とされた輝度に自動的に固定されてしまうのに対し、特許文献１のノート型ＰＣでは、ユーザは、所定のオペレータ設定ビューをＰＣの画面に呼び出して、該画面の所定の入力欄に希望の輝度に係る値を入力し、これにより、ＬＣＤをバッテリ使用中の自動設定の輝度よりも高い輝度へ変更することができるようにしている。
【０００４】
一方、本出願人が市販しているノート型ＰＣでは、キーボードにディスプレイの輝度を段階的に増大及び減少させる２個の輝度調整用キーを配備するとともに、外部交流電源の電力の使用中とバッテリの電力の使用中とでそれぞれ通常の高輝度テーブル及び省電力用の低輝度テーブルを選択輝度テーブルとして選択し、該選択輝度テーブルに基づきディスプレイの輝度を輝度調整用キーの押下操作ごとに一段、増大又は減少するようにしている。該ノート型ＰＣは、また、バッテリ及び外部交流電源の切替に伴い、自動的に高輝度テーブル又は低輝度テーブルに切替えるとともに、バッテリの電力の使用中でも、ユーザは、所定のユーザ設定アプリケーションを起動させて、該アプリケーションにおいて階層構造のメニューに従い、所定の下位階層のメニューに達し、該下位階層のメニューにおける所定のコマンドの選択等により高輝度テーブルへ変更できるようにしている。
【特許文献１】特開平７−１４１０７５号公報
【発明の開示】
【発明が解決しようとする課題】
【０００５】
従来の最高輝度変更操作では、ユーザが、輝度変更用アプリケーションを起動させたり、希望の輝度に対応する値を入力したり、下位階層のメニューを表示させたりするので、切替操作が煩雑となり、また、作業時間が長くなる。一方、最高輝度変更操作用の操作部材をノート型ＰＣのキーボート等に追加することはスペース上及びコスト上、好ましくない。
【０００６】
本発明の目的は、ディスプレイの最高輝度変更操作のために、新たな操作部材の追加を回避しつつ、ディスプレイの最高輝度の変更を能率化するディスプレイ制御装置、ディスプレイ制御方法、ディスプレイ制御プログラム及び記録媒体を提供することである。
【課題を解決するための手段】
【０００７】
本発明のディスプレイ制御装置は所定のディスプレイ装置に適用され、該ディスプレイ装置は、ユーザがディスプレイの輝度を１段、増大させる際に該ユーザにより所定の態様で１回、操作される輝度増大用操作部材を有している。本発明のディスプレイ制御装置は次のものを有している。
・輝度増大用操作部材における操作に基づきディスプレイの輝度を増大させる輝度増大手段、
・第１の輝度又は該第１の輝度より低い第２の輝度を選択輝度として選択する輝度選択手段、
・輝度選択手段における選択輝度にディスプレイの最高輝度を制限する最高輝度制限手段、
・輝度増大用操作部材における所定態様の操作の内の特定の操作はユーザの最高輝度増大要求とみなして該特定の操作を検出する特定操作検出手段、及び
・輝度選択手段が第２の輝度を選択しているときに特定の操作が検出されると、輝度選択手段に、選択輝度を第２の輝度から第１の輝度へ変更させる変更手段。
【０００８】
本発明の別のディスプレイ制御装置は所定のディスプレイ装置に適用され、該ディスプレイ装置は、ユーザがディスプレイの輝度を１段、変更する際に該ユーザにより所定の態様で１回、操作される輝度変更用操作部材を有している。本発明の別のディスプレイ制御装置は次のものを有している。
・輝度変更用操作部材の操作に基づき現在の段を決定する段決定手段、
・第１又は第２の輝度テーブルを選択輝度テーブルとして選択するテーブル選択手段であって各輝度テーブルは有限個の段に対して上の段ほど輝度が増大するように、各段に対してディスプレイの輝度を対応付けており第１の輝度テーブルにおける最高段に対応付けられている輝度は第２の輝度テーブルにおける最高段に対応付けられている輝度より高いテーブル選択手段、
・テーブル選択手段における選択輝度テーブルにおいて段決定手段の決定した段に対応付けられる輝度にディスプレイの現実の輝度がなるようにディスプレイの輝度を制御する輝度制御手段、
・テーブル選択手段の選択輝度テーブルが第２の輝度テーブルであるとき、輝度変更用操作部材における所定の態様の操作の内の特定の操作はユーザの最高輝度増大要求とみなして該特定の操作を検出する特定操作検出手段、及び
・テーブル選択手段に、選択輝度テーブルを特定の操作の検出に基づき第２の輝度テーブルから第１の輝度テーブルへ変更させる選択制御手段。
【０００９】
本発明のディスプレイ制御方法は所定のディスプレイ装置に適用され、該ディスプレイ装置は、ユーザがディスプレイの輝度を１段、増大させる際に該ユーザにより所定の態様で１回、操作される輝度増大用操作部材を有している。本発明のディスプレイ制御方法は次のステップを有している。
・輝度増大用操作部材における操作に基づきディスプレイの輝度を増大させるステップ、
・第１の輝度又は該第１の輝度より低い第２の輝度を選択輝度として選択するステップ、
・選択輝度に変更があると変更後の選択輝度に基づきディスプレイの最高輝度を制限するステップ、
・輝度増大用操作部材における所定態様の操作の内の特定の操作はユーザの最高輝度増大要求とみなして該特定の操作を検出するステップ、及び
・第２の輝度が選択輝度になっているときに特定の操作が検出されると、選択輝度を第２の輝度から第１の輝度へ変更するステップ。
【００１０】
本発明の別のディスプレイ制御方法は所定のディスプレイ装置に適用され、該ディスプレイ装置は、ユーザがディスプレイの輝度を１段、変更する際に該ユーザにより所定の態様で１回、操作される輝度変更用操作部材を有している。本発明の別のディスプレイ制御方法は次のステップを有している。
・輝度変更用操作部材の操作に基づき現在の段を決定する段決定ステップ、
・第１又は第２の輝度テーブルの各輝度テーブルは有限個の段に対して上の段ほど輝度が増大するように、各段に対してディスプレイの輝度を対応付けており第１の輝度テーブルにおける最高段に対応付けられている輝度は第２の輝度テーブルにおける最高段に対応付けられている輝度より高くなっており第１又は第２の輝度テーブルを選択輝度テーブルとして選択する選択ステップ、
・選択輝度テーブル又は現在の段についての変更に伴い実施され選択輝度テーブルにおいて現在の段に対応付けられる輝度にディスプレイの輝度がなる制御を実施する輝度制御ステップ、
・選択輝度テーブルが第２の輝度テーブルであるとき、輝度変更用操作部材における所定の態様の操作の内の特定の操作はユーザの最高輝度増大要求とみなして該特定の操作を検出する特定操作検出ステップ、及び
・選択輝度テーブルを特定の操作の検出に基づき第２の輝度テーブルから第１の輝度テーブルへ変更させる選択制御ステップ。
【００１１】
本発明のディスプレイ制御プログラムは、前述のディスプレイ制御装置及び後述の実施の形態に係るディスプレイ制御装置の各手段としてコンピュータを機能させる。あるいは、本発明のディスプレイ制御プログラムは、前述のディスプレイ制御方法及び後述の実施の形態に係るディスプレイ制御方法の各ステップをコンピュータに実行させる。本発明の記録媒体は、かかるディスプレイ制御プログラムをコンピュータ読み取り可能に記録したものである。
【発明の効果】
【００１２】
本発明によれば、ユーザが、ディスプレイの輝度を１段、増大させる際に操作部材に対して行う所定の態様の操作の内の特定の操作に対しては、該操作は、ユーザが最高輝度の増大を要求している操作とみなし、このような操作を検出すると、ディスプレイの最高輝度を増大させる。また、本発明では、輝度変更用操作部材とは別に最高輝度変更用の操作部材を追加する必要を排除するとともに、ユーザが所定のアプリケーションを起動させる手間を省略できる。
【発明を実施するための最良の形態】
【００１３】
図１はノート型ＰＣ１０の斜視図である。ノート型ＰＣ１０は、上面にキーボード１２が配備される本体１３と、本体１３の奥側の辺部に下辺部を回動自在に結合し本体１３を開閉可能になっている蓋１４とを装備する。蓋１４は、本体１３を閉じた位置において本体１３に対峙する側にＬＣＤ１５を装着されている。キーボード１２は縦横の配列で文字・数字入力キーや機能キー等を備え、ダウン・キー１６及びアップ・キー１７は１２の右奥側の範囲に左右に隣り合って、また、制御キー１８は１２の左手前側の範囲に、それぞれ配備されている。このノート型ＰＣ１０では、ユーザが、ダウン・キー１６及びアップ・キー１７を単独で押下したときには、ＬＣＤ１５の輝度調整とは異なる入力又は制御が行われ、ユーザが、左手の所定の指で制御キー１８を押下した状態を保持して、右手の所定の指でダウン・キー１６及びアップ・キー１７をそれぞれ押下すると、それぞれＬＣＤ１５の輝度が１段だけ減少及び増大するように設定されている。キーボード１２のキー配備のスペースに余裕があれば、単独操作で、すなわち制御キー１８の押下を省略して、ＬＣＤ１５の輝度を１段減少及び増大できる専用キーをそれぞれ１個ずつ配備することもできる。ノート型ＰＣ１０は、図示していない充電式の内部バッテリを備え、使用電力を外部交流電源の電力と内部バッテリの電力とへ切替自在になっている。このノート型ＰＣ１０では、電力会社からの配電としての外部交流電源の電力使用期間中（厳密には外部交流電源の交流電力をアダプタにより変換した所定電圧の直流電力）、外部交流電源の電力により内部バッテリが充電され、外部交流電源への非接続中は、内部バッテリの電力が使用される。
【００１４】
図２はＬＣＤ１５の輝度制御に関する特性線のグラフである。図２において、横軸は段(step)、縦軸は輝度（数値の単位はnit)をそれぞれ表している。段は、３ビットで最低段の０から最高段の７まで計８個、存在する。実線の特性線（以下、「ＡＣ用特性線」と言う。）は、ノート型ＰＣ１０が外部交流電源電力を使用している期間の段とＬＣＤ１５の輝度との関係を示し、破線の特性線（以下、「ＤＣ用特性線」と言う。）は、ノート型ＰＣ１０が内部バッテリ電力を使用している期間の段とＬＣＤ１５の輝度との関係を示している。ＬＣＤ１５の輝度が高いときほど、ＬＣＤ１５の消費電力は増大する。ＡＣ用特性線とＤＣ用特性線とは、段０において同一の輝度となっており、段１から段７までの範囲では、ＡＣ用特性線はＤＣ用特性線より上にあり、各段におけるＡＣ用特性線に係る輝度とＤＣ用特性線に係る輝度との差は、高い段ほど、増大している。なお、段０において、ＡＣ用特性線上の輝度はＤＣ用特性線上の輝度より適当に高くした値に設定してもよい。ノート型ＰＣ１０では、現在の段が何であるかを決定するカウンタが、ソフトウェア又はハードウェアで構成され、該カウンタの計数値は、現在の段に対応付けられており、ユーザが制御キー１８を押下しつつ、ダウン・キー１６を押下するごとに１個、減少し、また、アップ・キー１７を押下するごとに１個、増大する。カウンタの計数値の最小値及び最大値はそれぞれ０及び７となっているので、現在の段が０にあるときは、ユーザが、その後、さらに、ダウン・キー１６を押下しても、現在の段は０に留まる。また、現在の段が７にあるとき、ユーザが、その後、さらに、アップ・キー１７を押下しても、現在の段は７に留まる。ＡＣ用特性線及びＤＣ用特性線において、各段とそれに対応する輝度に係る情報がそれぞれＡＣ輝度テーブル情報及びＤＣ輝度テーブル情報として所定の不揮発性メモリに保存されている。なお、図２の両端矢付きの線ａについては後述する。
【００１５】
ノート型ＰＣ１０が外部交流電源の電力を使用している期間（以下、適宜、「ＡＣ期間」と言う。）では、ＬＣＤ１５の輝度はＡＣ用輝度テーブルに基づいて制御される。ノート型ＰＣ１０が内部バッテリの電力を使用している期間（以下、適宜、「ＤＣ期間」と言う。）は、ＬＣＤ１５の輝度は、初期的には及び通常はＤＣ用輝度テーブルに基づいて制御され、適宜、ＡＣ用輝度テーブルに基づいて制御される。ＤＣ期間に、ＬＣＤ１５の輝度制御の基としてＤＣ用輝度テーブルが利用されるのは、バッテリの電力を節約するためであり、ＤＣ期間に、ＬＣＤ１５の輝度制御の基としてＡＣ用輝度テーブルが適宜、利用されるのは、ユーザが、ＤＣ期間であっても、ＬＣＤ１５を高い輝度で使用したいと言う希望に応えるためである。
【００１６】
図３はディスプレイ制御装置２０の機能ブロック図である。ディスプレイ制御装置２０が適用されるディスプレイ装置は、ユーザがディスプレイ２２の輝度を１段、増大させる際に該ユーザにより所定の態様で１回、操作される輝度増大用操作部材２１を有している。ディスプレイ制御装置２０は、さらに、輝度増大手段２３、輝度選択手段２４、最高輝度制限手段２５、特定操作検出手段２６、及び変更手段２７を有している。輝度増大手段２３は、輝度増大用操作部材２１における操作に基づきディスプレイ２２の輝度を増大させる。輝度選択手段２４は、第１の輝度又は該第１の輝度より低い第２の輝度を選択輝度として選択する。最高輝度制限手段２５は、輝度選択手段２４における選択輝度にディスプレイ２２の最高輝度を制限する。特定操作検出手段２６は、輝度増大用操作部材２１における所定態様の操作の内の特定の操作はユーザの最高輝度増大要求とみなして該特定の操作を検出する。変更手段２７は、輝度選択手段２４が第２の輝度を選択しているときに特定の操作が検出されると、輝度選択手段２４に、選択輝度を第２の輝度から第１の輝度へ変更させる。
【００１７】
ディスプレイ制御装置２０は例えば、ノート型ＰＣ１０（図１）を含む携帯型ＰＣやその他の携帯型情報処理装置に装備される。ノート型ＰＣ１０は、ディスプレイ制御装置２０を具体化した態様で装備する機器の一例である。ノート型ＰＣ１０のＬＣＤ１５及びアップ・キー１７はディスプレイ２２及び輝度増大用操作部材２１に対応している。ディスプレイ２２はＬＣＤに限定されない。また、第１及び第２の輝度は、図２のＡＣ用特性線及びＤＣ用特性線における段０に対応付けられている輝度に対応している。ディスプレイ制御装置２０を装備する機器は、ノート型ＰＣ１０のように、例えば、外部交流電源の電力と内部バッテリの電力とへ使用電力を切替自在になっており、第２の輝度は該機器が内部バッテリ電力を使用している期間に選択輝度として選択され、第２の輝度から第１の輝度への変更は、現在の最高輝度に不満をもつユーザの最高輝度増大要求に従い実施される。
【００１８】
ユーザは、輝度増大用操作部材２１を所定態様で１回、操作すると、ディスプレイ２２の輝度は１段、増大する。ユーザが、所定態様の操作のうちの特定の操作を行うと、この操作は、ユーザが最高輝度増大を要求したとみなして、輝度選択手段２４における選択輝度は、該選択輝度が第２の輝度となっているときには、変更手段２７によって第２の輝度から第１の輝度へ変更される。こうして、ディスプレイ２２は、最高輝度を第２の輝度から第１の輝度へ変更され、消費電力が増大するものの、輝度の高い表示をユーザへ提供することができる。
【００１９】
所定態様の操作とは、例えば、ユーザが輝度増大用操作部材２２を押下する操作操作、又は前記輝度増大用操作部材の押下を所定時間以上、保持する操作である。また、所定態様の操作の内の特定の操作とは、単位時間当たりに輝度増大用操作部材２２を所定回数以上押下する操作である。
【００２０】
ユーザがディスプレイの輝度を１段、増大させるときの輝度増大用操作部材２１に対する通常の押下操作は、単位時間当たりの押下回数が小さい、ゆっくりしたものとなる。これに対し、特定の操作は、ユーザが輝度増大用操作部材２１を短時間に頻繁に押下する操作に対応させ、これにより、特定の操作を通常の押下操作と区別して検出可能となる。実際、ディスプレイ２２の最高輝度が第２の輝度に抑えられている場合に、ディスプレイ２２の現実の輝度が第２の輝度に達し、ユーザが、ディスプレイ２２の輝度のさらなる増大を希望するときは、平均的なユーザによる輝度増大用操作部材２１に対する操作は、短時間に頻繁に輝度増大用操作部材２１を押下する操作となる傾向がある。こうして、ユーザの最高輝度増大要求が輝度増大用操作部材２１に対する特定の操作から検出され、ディスプレイ２２の最高輝度は、第２の輝度より高い第１の輝度へ変更される。
【００２１】
図４は別のディスプレイ制御装置３５の機能ブロック図である。ディスプレイ制御装置３５が適用されるディスプレイ装置は、ユーザがディスプレイの輝度を１段、変更する際に該ユーザにより所定の態様で１回、操作される輝度変更用操作部材３６を有している。ディスプレイ制御装置３５は、段決定手段３７、テーブル選択手段３８、輝度制御手段３９、特定操作検出手段４１、及び選択制御手段４２を有している。段決定手段３７は、輝度変更用操作部材３６の操作に基づき現在の段を決定する。テーブル選択手段３８は、第１又は第２の輝度テーブルを選択輝度テーブルとして選択する。各輝度テーブルは、有限個の段に対して上の段ほど輝度が増大するように、各段に対してディスプレイの輝度を対応付けており、第１の輝度テーブルにおける最高段に対応付けられている輝度は第２の輝度テーブルにおける最高段に対応付けられている輝度より高い。輝度制御手段３９は、テーブル選択手段３８における選択輝度テーブルにおいて段決定手段３７の決定した段に対応付けられる輝度にディスプレイの現実の輝度がなるようにディスプレイの輝度を制御する。特定操作検出手段４１は、テーブル選択手段３８の選択輝度テーブルが第２の輝度テーブルであるとき、輝度変更用操作部材３６における所定の態様の操作の内の特定の操作はユーザの最高輝度増大要求とみなして該特定の操作を検出する。選択制御手段４２は、テーブル選択手段３８に、選択輝度テーブルを特定の操作の検出に基づき第２の輝度テーブルから第１の輝度テーブルへ変更させる。
【００２２】
ディスプレイ制御装置３５は例えば、ノート型ＰＣ１０（図１）を含む携帯型ＰＣやその他の携帯型情報処理装置に装備される。ノート型ＰＣ１０は、ディスプレイ制御装置３５を装備する機器の一例である。ノート型ＰＣ１０のＬＣＤ１５はディスプレイ２２に対応し、ノート型ＰＣ１０のダウン・キー１６及びアップ・キー１７は、ディスプレイ制御装置３５の輝度変更用操作部材３６における輝度増大用操作部材４５及び輝度減少用操作部材４６に対応する。また、第１及び第２の輝度テーブルは、図２のＡＣ用特性線及びＤＣ用特性線に関連して前述したＡＣ用輝度テーブル及びＤＣ用輝度テーブルに対応する。ディスプレイ制御装置３５を装備する機器は、ノート型ＰＣ１０のように、例えば、外部交流電源の電力と内部バッテリの電力とへ使用電力を切替自在になっており、第２の輝度テーブルは該機器が内部バッテリ電力を使用している期間に選択輝度テーブルとして初期的に選択され、第２の輝度テーブルから第１の輝度テーブルへの変更は、現在の最高輝度に不満をもつユーザの最高輝度増大要求に従い実施される。
【００２３】
ユーザは、輝度変更用操作部材３６を所定態様で１回、操作すると、ディスプレイの輝度は１段だけ変化する。ユーザが、所定態様の操作のうちの特定の操作を行うと、この操作は、ユーザが最高輝度増大を要求したとみなして、特定操作検出手段４１により検出され、選択制御手段４２は、テーブル選択手段３８に、選択輝度テーブルを第２の輝度テーブルから第１の輝度テーブルへ変更させる。以降、輝度制御手段３９は、第１の輝度テーブルにおいて段決定手段３７の決定した段に対応付けられる輝度にディスプレイの現実の輝度がなるようにディスプレイの輝度を制御する。こうして、ユーザは、ディスプレイ制御装置２２を、消費電力は増大するものの、第１の輝度テーブルに基づく高輝度で使用することができる。
【００２４】
ディスプレイ制御装置３５のさらなる具体例について、次に説明する。次に説明する各構成は、任意の組み合わせでディスプレイ制御装置３５に追加装備可能となっている。
【００２５】
輝度変更用操作部材３６は、ユーザがディスプレイの輝度を増大する操作専用となっていてかつユーザにより押下操作される輝度増大用操作部材４５を含む。段決定手段３７は、現在の段が最高段に達するまでは、輝度増大用操作部材４５がユーザにより１回、押下されるごとに、現在の段を１段、増大させる。
【００２６】
輝度変更用操作部材３６の特定の操作は、輝度増大用操作部材４５が単位時間当たり所定回数以上、押下される操作である。典型的なユーザは、ディスプレイ２２の輝度を１段、増大させる場合には、輝度変更用操作部材３６を比較的ゆっくりと操作（例：押下）するのに対し、ディスプレイ２２を十分に高い輝度で使用したい場合には、輝度変更用操作部材３６を短時間に頻繁に操作（例：押下）することが傾向がある。この傾向に合致させるために、輝度増大用操作部材４５が単位時間当たり所定回数以上、操作されたことを特定の操作として検出する。さらに、この特定の操作は、ディスプレイの輝度が第２の輝度テーブルにおいて最高段に対応付けられた輝度にあるときに行われる操作に限定することもできる。
【００２７】
他の例では、輝度増大用操作部材４５の特定の操作は、ディスプレイの輝度が第２の輝度テーブルにおいて最高段に対応付けられた輝度にあるときに、ユーザが輝度増大用操作部材４５を所定回数（例：３回）以上、押下する操作である。又は、輝度増大用操作部材４５の特定の操作は、ディスプレイの輝度が第２の輝度テーブルにおいて最高段に対応付けられた輝度にあるときに、ユーザが輝度増大用操作部材４５を所定時間（例：５秒）以上、押下を保持する操作である。第２の輝度テーブルが選択されていて、かつ現在の段が最高段に達しているときには、ユーザがこれ以上輝度変更用操作部材３６を操作しても、ディスプレイ２２の輝度は第２の輝度テーブルの最高輝度を上回ることはできない。第２の輝度テーブルの選択のために、輝度増大が困難であるにもかかわらず、輝度を上げることを希求する平均的なユーザは、輝度変更用操作部材３６の操作を繰り返し行ったり、無駄とは思いつつ、輝度変更用操作部材３６を押下し続けたりという傾向がある。この傾向に合致させるために、ディスプレイの輝度が第２の輝度テーブルにおいて最高段に対応付けられた輝度にあるときに、ユーザが輝度増大用操作部材４５を所定回数（例：３回）以上、押下したり、押下したままの状態を初手時間以上保持したりした場合には、その操作を特定の操作とする。
【００２８】
選択制御手段４２が、テーブル選択手段３８に、選択輝度テーブルを第２の輝度テーブルから第１の輝度テーブルへ変更させる時、段決定手段３７は、現在の段を、第１の輝度テーブルにおいて第２の輝度テーブルの最高輝度より高い輝度に対応付けられる段へ変更する。この変更例は、図２の線ａにより表される。なお、この線ａには、左向き印の他に右向き印がそれぞれ左端及び右端に付加されているが、左向き印は、第２の輝度テーブルから第１の輝度テーブルへの変更を示し、右向き印は第１の輝度テーブルから第２の輝度テーブルへの変更を示す。向き印付きの線ａを矢と呼ぶことにすると、右向き矢及び左向き矢における各矢元は、変更前の輝度テーブルにおける段及び輝度を示し、各矢先は変更後の輝度テーブルにおける段及び輝度を示している。第２の輝度テーブルから第１の輝度テーブルへの変更（左向きとする線ａ）は、第２の輝度テーブルの最高段としての段７から第１の輝度テーブルの段６へ行われる。これは、第１の輝度テーブルの段６の輝度は、第１の輝度テーブルにおいて第２の輝度テーブルの段７の輝度より高くなっている複数の輝度の内、最低輝度となっているからである。第２の輝度テーブルから第１の輝度テーブルへの変更における変更先は、第１の輝度テーブルの段７としてもよい。
【００２９】
輝度変更用操作部材３６は、ユーザがディスプレイの輝度を減少する操作専用となっていてかつユーザにより押下操作される輝度減少用操作部材４６を含む。段決定手段３７は、現在の段が最低段に達するまでは、輝度増大用操作部材４５がユーザにより１回、押下されるごとに、現在の段を１段、減少させる。選択制御手段４２は、テーブル選択手段３８が選択輝度テーブルを第２の輝度テーブルから第１の輝度テーブルへ変更した後、輝度減少用操作部材４６に対するユーザの押下操作によりディスプレイの輝度が第２の輝度テーブルの最高段の輝度以下に減少したときには、テーブル選択手段３８に、選択輝度テーブルを第１の輝度テーブルから第２の輝度テーブルへ戻させる。その具体例として図２の右向きとする線ａのように、第１の輝度テーブルから第２の輝度テーブルへの変更は、第１の輝度テーブルの段６から第２の輝度テーブルの段７へ行われる。これは、第１の輝度テーブルの段５の輝度は、第２の輝度テーブルの段７の輝度より低くなっており、もはや第１の輝度テーブルを採用する意義がなくなったからである。右向きの線ａの矢元を第１の輝度テーブルにおける段５以下の任意とし、右向きの線ａの矢先を第２の輝度テーブルにおける任意の段とするともできる。ただし、右向きの線ａが図２において右肩上がりになる場合には、ユーザによる輝度減少用操作部材４６の押下にもかかわらず、ディスプレイ２２の輝度が増大して、ユーザに違和感を与え易いので、これを回避するためには、右向きの線ａは、図２において水平か右肩下がりが好ましい。
【００３０】
図５〜図８は第１のディスプレイ用制御方法の各方法部分のフローチャートである。この第１のディスプレイ用制御方法は図３のディスプレイ制御装置２０に対応している。図５〜図８の各第１の方法部分は割込みルーチンとして実行される。図５及び図８の方法部分は、共に、輝度増大用操作部材２１の操作に伴って発生するイベントが割込み信号となって、実行される。図５及び図８の方法部分の実行の優先度は任意である。図６の方法部分は初期設定ルーチンとして実行され、該初期設定ルーチンは、ディスプレイ制御装置２０に電力が投入開始される時、又はディスプレイ制御装置２０への投入電源が外部交流電源−内部バッテリ間で切替えられた時に起動される。図７の方法部分は、選択輝度が変更されるのに伴い発生するイベントが割込み信号となって、実行される。ディスプレイ用制御方法は以下の処理内容のステップを含む。
・輝度増大用操作部材２１における操作に基づきディスプレイ２２の輝度を増大させる（Ｓ４５）。
・第１の輝度又は該第１の輝度より低い第２の輝度を選択輝度として選択する（Ｓ４７）。
・選択輝度に変更があると変更後の選択輝度に基づきディスプレイ２２の最高輝度を制限する（Ｓ４８）。
・輝度増大用操作部材２１における所定態様の操作の内の特定の操作はユーザの最高輝度増大要求とみなして該特定の操作を検出する（Ｓ５２）。
・第２の輝度が選択輝度になっているときに特定の操作が検出されると、選択輝度を第２の輝度から第１の輝度へ変更する（Ｓ５３，Ｓ５４）
【００３１】
Ｓ５４の実行ごとに、選択輝度変更通知イベントが発生し、図７のルーチンが起動される。なお、輝度増大用操作部材２１における所定態様の操作とは、例えば、ユーザが輝度増大用操作部材２１を押下する操作であ。Ｓ５２で検出する、所定態様の操作の内の特定の操作とは、ディスプレイの輝度が第２の輝度にあるときに単位時間当たりに輝度増大用操作部材２１を所定回数以上押下する操作、又は前記輝度増大用操作部材の押下を所定時間以上、保持する操作である。
【００３２】
図９〜図１２は第２のディスプレイ用制御方法の各方法部分のフローチャートである。このディスプレイ用制御方法は、図４のディスプレイ制御装置３５に対応している。図９〜図１２の各方法部分は割込みルーチンとして実行される。図９及び図１２の方法部分は、共に、輝度変更用操作部材３６の操作に伴って発生するイベントが割込み信号となって、実行される。図９及び図１２の方法部分の実行優先度は任意である。図１０の方法部分は、選択輝度テーブルの初期設定ルーチンとして、ディスプレイ制御装置３５に電力が投入開始される時、又はディスプレイ制御装置３５への投入電源が外部交流電源−内部バッテリ間で切替えられた時に起動される。選択輝度テーブルの設定イベントは、ディスプレイ制御装置３５に電源投入された時、又はディスプレイ制御装置３５の使用電力に関して例えば外部交流電源−バッテリ間の電力切替があった時に発生する。図１１の方法部分は、輝度制御指示イベントが割り込み信号となって、実行される。輝度制御指示イベントは、例えば、輝度変更用操作部材３６が操作された時、及び選択輝度テーブルの切替があった時に発生する。
【００３３】
第２のディスプレイ用制御方法は次のステップを含む。
・輝度変更用操作部材３６の操作に基づき現在の段を決定する（Ｓ５８）。
・第１又は第２の輝度テーブルの各輝度テーブルは有限個の段に対して上の段ほど輝度が増大するように、各段に対してディスプレイの輝度を対応付けており第１の輝度テーブルにおける最高段に対応付けられている輝度は第２の輝度テーブルにおける最高段に対応付けられている輝度より高くなっており第１又は第２の輝度テーブルを選択輝度テーブルとして選択する（Ｓ６０）。
・選択輝度テーブル又は現在の段についての変更に伴い実施され、選択輝度テーブルにおいて現在の段に対応付けられる輝度にディスプレイの輝度がなる制御を実施する（Ｓ６１）。
・選択輝度テーブルが第２の輝度テーブルであるとき、輝度変更用操作部材３６における所定の態様の操作の内の特定の操作はユーザの最高輝度増大要求とみなして該特定の操作を検出する（Ｓ６６，Ｓ６５）。
・選択輝度テーブルを特定の操作の検出に基づき第２の輝度テーブルから第１の輝度テーブルへ変更させる（Ｓ６７）。
【００３４】
Ｓ６７の実行に伴い、輝度制御指示イベントが発生し、図１１のルーチンが起動する。
【００３５】
次に、図９〜図１２で説明した第２のディスプレイ用制御方法について、具体的態様を説明する。以下の具体的態様は、任意の組み合わせで該第２のディスプレイ用制御方法に付加可能となっている。
【００３６】
輝度変更用操作部材３６は、ユーザがディスプレイの輝度を増大する操作専用となっていてかつユーザにより押下操作される輝度増大用操作部材４５を含む。図９のＳ５８は、現在の段が最高段に達するまでは、輝度増大用操作部材４５がユーザにより１回、押下されるごとに、現在の段を１段、増大させる。
【００３７】
輝度変更用操作部材３６の特定の操作は好ましくは次の（１）又は（２）とされる。
（１）輝度増大用操作部材４５が単位時間当たり所定回数以上、押下される操作である。さらに、該特定の操作は、ディスプレイの輝度が第２の輝度テーブルにおいて最高段に対応付けられた輝度にあるときに行われる操作に限定される。
（２）輝度増大用操作部材４５の特定の操作は、ディスプレイの輝度が第２の輝度テーブルにおいて最高段に対応付けられた輝度にあるときに、ユーザが輝度増大用操作部材４５を所定回数以上、押下する操作又は所定時間以上、押下を保持する操作である。
【００３８】
なお、上述の（１）における「単位時間当たり所定回数以上、押下」では、ユーザにおる輝度増大用操作部材４５の操作速度は、通常の操作速度より速くなければならないが、上述の（２）における「ユーザが輝度増大用操作部材４５を所定回数以上、押下する操作」では、ユーザにおる輝度増大用操作部材４５の操作速度は、通常の操作速度と同じであっても、よい。ただし、（２）における「ユーザが輝度増大用操作部材４５を所定回数以上、押下する操作」では、前回の押下操作と今回の押下との時間間隔が所定時間以上、開くときには、計測数を一旦、０に戻す処理を行うことにし、押下回数の計測値が所定値に達したときのみ、ユーザが輝度増大用操作部材４５を所定回数以上、押下する操作があったと判定することが好ましい。
【００３９】
Ｓ６７において選択輝度テーブルが第２の輝度テーブルから第１の輝度テーブルへ変更されると、図９のルーチンを起動する所定のイベントが発生し、Ｓ５８では、現在の段を、第１の輝度テーブルにおいて第２の輝度テーブルの最高輝度より高い輝度に対応付けられる段へ変更する。この変更は、例えば図２の左向きの線ａに対応する。
【００４０】
輝度変更用操作部材３６は、ユーザがディスプレイの輝度を減少する操作専用となっていてかつユーザにより押下操作される輝度減少用操作部材４６を含む。Ｓ５８は、現在の段が最低段に達するまでは、輝度増大用操作部材４５がユーザにより１回、押下されるごとに、現在の段を１段、減少させる。Ｓ６７は、選択輝度テーブルを第２の輝度テーブルから第１の輝度テーブルへ変更した後、輝度減少用操作部材に対するユーザの押下操作により、ディスプレイの輝度が選択輝度テーブルを第２の輝度テーブルから第１の輝度テーブルへ変更する直前の輝度以下になろうとする時又はなってから、選択輝度テーブルを第１の輝度テーブルから第１の輝度テーブルへ戻させる処理を含む。この戻しの処理は、例えば図２の右向きの線ａに対応する。
【００４１】
本発明は、ハードウェア、ソフトウェア、又はハードウェア及びソフトウェアの組み合わせとして実現可能である。ハードウェアとソフトウェアの組み合わせによる実行において、所定のプログラムを有するコンピュータ・システムにおける実行が典型的な例として挙げられる。かかる場合、該所定プログラムが該コンピュータ・システムにロードされ実行されることにより、該プログラムは、コンピュータ・システムを制御し、本発明に係る処理を実行させる。このプログラムは、任意の言語・コード・表記によって表現可能な命令群から構成される。そのような命令群は、システムが特定の機能を直接、又は１．他の言語・コード・表記への変換、２．他の媒体への複製、のいずれか一方もしくは双方が行われた後に、実行することを可能にするものである。もちろん、本発明は、そのようなプログラム自体のみならず、プログラムを記録した媒体もその範囲に含むものである。本発明の機能を実行するためのプログラムは、フレキシブル・ディスク、ＭＯ、ＣＤ−ＲＯＭ、ＤＶＤ、ハード・ディスク装置、ＲＯＭ、ＭＲＡＭ、ＲＡＭ等の任意のコンピュータ読み取り可能な記録媒体に格納することができる。かかるプログラムは、記録媒体への格納のために、通信回線で接続する他のコンピュータ・システムからダウンロードしたり、他の記録媒体から複製したりすることができる。また、かかるプログラムは、圧縮し、又は複数に分割して、単一又は複数の記録媒体に格納することもできる。
【００４２】
図１３はプログラムを実行するためのハードウェア構成図である。前述したディスプレイ制御装置２０，３５の各手段としてコンピュータを機能させるためのディスプレイ制御プログラムは、例えば図１３に記載したハードウェアを使用して、実行される。あるいは、前述した第１及び第２のディスプレイ用制御方法の各ステップをコンピュータに実行させるためのディスプレイ制御プログラムは、例えば、図１３に記載したハードウェアを使用して、実行される。システム・バス７０には、ＣＰＵ７１、主記憶装置７２及び入出力制御装置７３が接続される。前述した手段又はステップは、コード化されたプログラムとして実行可能となっている。入出力制御装置７３には、ハード・ディスク・インターフェース等が含まれ、ＣＰＵ７１が実行する各種プログラムはハード・ディスク装置等にストアされている。プログラムは、ＣＰＵ７１において実行されるのに先立ち、主記憶装置７２にストアされる。ＣＰＵ７１は、主記憶装置７２の命令行を順次、読み出して、該プログラムを実行する。 
【図面の簡単な説明】
【００４３】
【図１】ノート型ＰＣの斜視図である。
【図２】ＬＣＤの輝度制御に関する特性線のグラフである。
【図３】ディスプレイ制御装置の機能ブロック図である。
【図４】別のディスプレイ制御装置の機能ブロック図である。
【図５】第１のディスプレイ用制御方法の第１の方法部分のフローチャートである。
【図６】第１のディスプレイ用制御方法の第２の方法部分のフローチャートである。
【図７】第１のディスプレイ用制御方法の第３の方法部分のフローチャートである。
【図８】第１のディスプレイ用制御方法の第４の方法部分のフローチャートである。
【図９】第２のディスプレイ用制御方法の第１の方法部分のフローチャートである。
【図１０】第２のディスプレイ用制御方法の第２の方法部分のフローチャートである。
【図１１】第２のディスプレイ用制御方法の第３の方法部分のフローチャートである。
【図１２】第２のディスプレイ用制御方法の第４の方法部分のフローチャートである。
【図１３】プログラムを実行するためのハードウェア構成図である。
【符号の説明】
【００４４】
２０：ディスプレイ制御装置、２３：輝度増大手段、２４：輝度選択手段、２５：最高輝度制限手段、２６：特定操作検出手段、２７：変更手段、３５：ディスプレイ制御装置、３７：段決定手段、３８：テーブル選択手段、３９：輝度制御手段、４１：特定操作検出手段、４２：選択制御手段４２。
【図１】
2005121690.tif 000003
【図２】
2005121690.tif 000004
【図３】
2005121690.tif 000005
【図４】
2005121690.tif 000006
【図５】
2005121690.tif 000007
【図６】
2005121690.tif 000008
【図７】
2005121690.tif 000009
【図８】
2005121690.tif 000010
【図９】
2005121690.tif 000011
【図１０】
2005121690.tif 000012
【図１１】
2005121690.tif 000013
【図１２】
2005121690.tif 000014
【図１３】
2005121690.tif 000015